(57)【要約】【課題】  ＭＥＭＳ技術で製造された光走査手段を有する電子ファインダを有する撮像装置では、電子ファインダの起動に一定の起動時間が必要であった。【解決手段】  所定の変調のされた光束を射出する光源の動作の入切と、反射面を揺動することで入射した光線を走査する走査手段の動作の入切のタイミングを独立して制御し、前記光源の動作が切であって、且つ前記走査手段の動作が入である場合を有することを特徴とする撮像装置を提供する。【選択図】  図１
2005223516.tif 000002
【特許請求の範囲】
【請求項１】
所定の変調された光束を射出する光源と反射面を揺動することで入射した光線を走査する走査手段とを有し、前記光源からの光束を前記走査手段の揺動する反射面に入射させて所定の面内に走査することにより当該所定の面内に所望の画像を形成して観察者に提示する電子ファインダを有する撮像装置において、
前記光源の動作の入切と前記走査手段の動作の入切のタイミングは独立して制御され、前記光源の動作が切であって、且つ前記走査手段の動作が入である場合を有することを特徴とする撮像装置。
【請求項２】
前記走査手段の動作は、撮像装置の主電源の入切操作に連動して行われることを特徴とする請求項１に記載の撮像装置。
【請求項３】
前記光源の動作の入切は、電子ファインダによる画像の提示の入切操作に連動して行われることを特徴とする請求項１乃至２に記載の撮像装置。
【請求項４】
前記電子ファインダによる画像の提示の入切操作は、観察者による操作に基づいて行われることを特徴とする請求項３に記載の撮像装置。
【請求項５】
前記電子ファインダによる画像の提示の入切操作は、電子ファインダ内に設けられた観察者の瞳を検出する手段の検出結果に基づいて行われることを特徴とする請求項３に記載の撮像装置。
【請求項６】
前記電子ファインダによる観察者への画像の提示は、所定の接眼光学系を介して当該画像の虚像を提示することで行うことを特徴とする請求項１乃至５に記載の撮像装置。
【請求項７】
前記電子ファインダ以外の他の表示手段を有し、観察者への画像の提示は当該電子ファインダと他の表示手段のいずれか又は両方を選択して行うことを特徴とする請求項１乃至６に記載の撮像装置。
【発明の詳細な説明】
【技術分野】
【０００１】
本発明は、静止画像や動画像を撮影・記録する電子ファインダを有する撮像装置に関し、特にその電子ファンダーシステムの制御方法や起動方法に関する。
【背景技術】
【０００２】
従来、固体メモリ素子を有するメモリカードや磁気テープなどを記録媒体として、静止画像や動画像を記録・再生する電子カメラやカムコーダなどの撮像装置は、既に多数市販されている。
【０００３】
また、これらの撮像装置として、液晶パネルなどを用いた電子ファインダを有する撮像装置も市販されている。通常の電子ファインダは透過型液晶、反射型液晶などの２次元表示素子と接眼光学系とを組み合わせ、２次元表示素子上の画像を虚像として観察するように構成されている。
【０００４】
近年、そのような電子ファインダはより高精細な画像が要求されている。このような要求に対して、前述の２次元表示素子では表示素子上に必要な画素数に対応する画素を製作しなければならないため、画素数が増えた分だけ画素欠陥が増加したり、２次元表示素子の大きさに対して相対的に画素が小さくなり製造が困難になるなどの問題が生じる。また、さらに液晶を利用した２次元画像表示素子では、液晶の応答速度が遅く動画像を表示した場合などに残像が残るなどの問題がある。
【０００５】
一方、２次元表示素子を用いる代わりに、光源からの発光した光束を２次元の光走査手段を用いて走査することにより画像を表示する画像表示装置が、米国特許５，４６７，１０４号などにて開示・提案されている。米国特許５，４６７，１０４号は、赤、青、緑の光束を水平方向と垂直方向の２次元方向に走査し、光学系を介して網膜上に直接画像を形成する技術を開示している。
【０００６】
このような表示技術は、１つの光束を走査するために、２次元画像表示素子のように必要な解像度にあわせて画素を形成する必要がなく、また原理的に画素欠陥というものが発生しないという特徴を有している。
【０００７】
このような走査型の画像表示装置を実現するにあたって、光走査手段として半導体プロセスにより製造された微小機械システム（Ｍｉｃｒｏ  Ｅｌｅｃｔｒｏ  Ｍｅｃｈａｎｉｃａｌ  ＳＹＳＴＥＭ：以下ＭＥＭＳ）が注目を集めている。ＭＥＭＳ技術で製造された光走査手段は、小型軽量でありかつ高速で動作可能なものであり、こうした特長が画像表示装置用の光走査手段として適している。こうしたＭＥＭＳ技術による光走査手段として、特開平０７−１７５００５（プレーナ型ガルバノミラーおよびその製造方法：日本信号株式会社）や特開平０８−３３４７２３（光偏向素子：オリンパス光学工業）などが開示・提案されている。また同様に、ＳＰＩＥ，Ｃｏｎｆｅｒｅｎｃｅ＃４４０７−１９（Ｊｕｎｅ２００１）、“Ｗａｆｅｒ  ｓｃａｌｅ  ｐａｃｋａｇｉｎｇ  ｆｏｒ  ａ  ＭＥＭＳ  ｖｉｄｅｏ  ｓｃａｎｎｅｒ”においては、頭部装着型表示装置用の２次元走査手段のＭＥＭＳが紹介されている。
【０００８】
これらのＭＥＭＳ技術による光走査手段は、光を反射する面をトーションバーなどで機械的に共振動作させその際に生じるねじれを利用して、光を反射する面を傾斜させその反射面に入射する光を偏向し走査するものである。ねじれを利用するため、光を反射する面は回転ではなく揺動するものである。
【０００９】
これらの機械的な共振動作の基本的な周波数は、光走査手段の機械的寸法により決定され、静電気力、電磁力により共振駆動されることにより光走査手段として機能する。
【００１０】
上記米国特許５，４６７，１０４号では、こうした共振型の振動により第１の方向の光走査を行い、さらに第１の方向とは異なる第２の方向には別の手段によって光を走査する光走査手段を配置して２次元走査を実現している。
【特許文献１】特開平０７−１７５００５
【特許文献２】特開平０８−３３４７２３
【特許文献３】米国特５，４６７，１０４号
【非特許文献１】ＳＰＩＥ，Ｃｏｎｆｅｒｅｎｃｅ＃４４０７−４４１９（Ｊｕｎｅ  ２００１）、“Ｗａｆｅｒ  ｓｃａｌｅ  ｐａｃｋａｇｉｎｇ  ｆｏｒ  ａ  ＭＥＭＳ  ｖｉｄｅｏ  ｓｃａｎｎｅｒ”
【発明の開示】
【発明が解決しようとする課題】
【００１１】
しかしながら、このようなＭＥＭＳ技術で製造された光走査手段においては、静電気力、電磁力により共振駆動することにより光反射面を駆動するために、その駆動制御が安定するまでに所定の時間を必要とする。このため、このような光走査手段を用いた電子ファインダを有する撮像装置では、一定の起動時間が必要であった。
【００１２】
また、これらの光走査手段を用いた電子ファインダシステムでは、走査される光束の光源などの消費電力が大きいため、できるだけ電力消費を少なくしてアルカリ電池、リチウム電池などの一次電池やＮｉＣｄ電池、ＮｉＭＨ電池、Ｌｉ電池などの二次電池の使用時間を長くすることも重要な課題であった。
【００１３】
本発明は上記のような課題に鑑みてなされたものであって、ＭＥＭＳ技術で製造された光走査手段を用いた電子ファインダの表示がなされるまでの時間を短縮し、且つ消費電力の小さな撮像装置を提供することを目的とする。
【課題を解決するための手段】
【００１４】
上記課題を解決するために、本出願にかかる発明は、所定の変調のされた光束を射出する光源と反射面を揺動することで入射した光線を走査する走査手段とを有し、前記光源からの光束を前記走査手段の揺動する反射面に入射させて所定の面内に走査することにより当該所定の面内に所望の画像を形成して観察者に提示する電子ファインダを有する撮像装置において、前記光源の動作の入切と前記走査手段の動作の入切のタイミングは独立して制御され、前記光源の動作が切であって、且つ前記走査手段の動作が入である場合を有することを特徴とする撮像装置にかかるものである。
【００１５】
特に前記走査手段の動作は、撮像装置の主電源の入切操作に連動して行われることを特徴とする撮像装置にかかるものである。
【００１６】
また、前記光源の動作の入切は、電子ファインダによる画像の提示の入切操作に連動して行われることを特徴とする撮像装置にかかるものである。
【００１７】
更に、前記電子ファインダによる画像の提示の入切操作は、観察者による操作に基づいて行われることを特徴とする撮像装置にかかるものである。
【００１８】
又は、前記電子ファインダによる画像の提示の入切操作は、電子ファインダ内に設けられた観察者の瞳を検出する手段の検出結果に基づいて行われることを特徴とする撮像装置にかかるものである。
【発明の効果】
【００１９】
本発明によれば、ＭＥＭＳ技術で製造された光走査手段を用いた電子ファインダを有する撮像装置において、撮像装置の主電源の入切に連動してその光走査手段の搖動駆動制御を制御することで、電子ファインダの起動時間を短縮できる。
【００２０】
また、視線検知によるポインティングを使って、電子ファインダを構成する光源部のＯＮ／ＯＦＦを適宜制御することにより、電力消費を少なくしてアルカリ電池、リチウム電池などの一次電池やＮｉＣｄ電池、ＮｉＭＨ電池、Ｌｉ電池などの二次電池の使用時間を長くすることも可能となる。
【００２１】
更に、不揮発性メモリに格納されている表示フラグに示された状態で、画面表示部を立ち上げることにより、電池交換時、およびモードダイアルを電源ＯＦＦから撮影モードに変更した時に、最後に表示していた状態と同じ状態で撮像装置を起動することができる。
【発明を実施するための最良の形態】
【００２２】
本発明の電子ファンダーシステムを有する撮像装置の制御方法や起動方法の実施の形態について説明する。本実施形態の撮像装置は電子カメラやデジタルビデオカムコーダなど電子ファインダを有する撮像装置に適用される。
【実施例１】
【００２３】
［全体構成の説明］
図１は第１の実施形態における電子カメラの構成を示す図である。図１において、１００は電子カメラである。１０は撮影レンズである。１２は絞り機能を備えたシャッタである。１４は光学像を電気信号に変換する撮像素子である。Ａ／Ｄ変換器１６は撮像素子１４から出力されるアナログ信号をデジタル信号に変換する。
【００２４】
タイミング発生回路１８は撮像素子１４、Ａ／Ｄ変換器１６、Ｄ／Ａ変換器２６にクロック信号および制御信号を供給し、メモリ制御回路２２およびシステム制御回路５０により制御される。
【００２５】
画像処理回路２０は、Ａ／Ｄ変換器１６からのデータあるいはメモリ制御回路２２からのデータに対して所定の画素補間処理や色変換処理を行う。また、画像処理回路２０は、撮像した画像データを用いて所定の演算処理を行い、得られた演算結果に基づいて、システム制御回路５０が露光制御部４０および測距制御部４２に対して制御を行う、ＴＴＬ（スルーザレンズ）方式のＡＦ（オートフォーカス）処理、ＡＥ（自動露出）処理およびＥＦ（フラッシュプリ発光）処理を行う。さらに、画像処理回路２０は、撮像した画像データを用いて所定の演算処理を行い、得られた演算結果に基づいてＴＴＬ方式のＡＷＢ（オートホワイトバランス）処理も行う。
【００２６】
メモリ制御回路２２は、Ａ／Ｄ変換器１６、タイミング発生回路１８、画像処理回路２０、画像表示メモリ２４、Ｄ／Ａ変換器２６、メモリ３０、圧縮伸長回路３２を制御する。Ａ／Ｄ変換器１６のデータが画像処理回路２０およびメモリ制御回路２２を介して、あるいはＡ／Ｄ変換器１６のデータが直接メモリ制御回路２２を介して、画像表示メモリ２４あるいはメモリ３０に書き込まれる。
【００２７】
２４は画像表示メモリである。２６はＤ／Ａ変換器である。２８はＴＦＴ方式のＬＣＤなどからなる画像表示部であり、電子カメラの本体裏側の撮影者に面した位置に設けられる。画像表示メモリ２４に書き込まれた表示用の画像データはＤ／Ａ変換器２６を介して画像表示部２８により表示される。画像表示部２８を用いて撮像した画像データを逐次表示することにより、電子ファインダ機能を実現することが可能である。また、画像表示部２８は、システム制御回路５０の指示にしたがって、任意に表示をＯＮ／ＯＦＦすることが可能であり、表示をＯＦＦにした場合、画像処理装置１００の電力消費を大幅に低減することができる。
【００２８】
メモリ３０は撮影した静止画像や動画像を格納し、所定枚数の静止画像や所定時間の動画像を格納するのに十分な記憶量を備えている。複数枚の静止画像を連続して撮影する連写撮影やパノラマ撮影の場合、高速かつ大量の画像書き込みをメモリ３０に対して行うことが可能である。また、メモリ３０はシステム制御回路５０の作業領域としても使用することが可能である。
【００２９】
３２は適応離散コサイン変換（ＡＤＣＴ）等により画像データを圧縮・伸長する圧縮伸長回路であり、メモリ３０に格納された画像を読み込んで圧縮処理あるいは伸長処理を行い、処理を終えたデータをメモリ３０に書き込む。４０は絞り機能を備えたシャッタ１２を制御する露光制御部であり、フラッシュ４８と連携してフラッシュ調光機能も有する。
【００３０】
４２は撮影レンズ１０のフォーカシングを制御する測距制御部である。４４は撮影レンズ１０のズーミングを制御するズーム制御部である。４６はバリアである保護部１０２の動作を制御するバリア制御部である。
【００３１】
４８はフラッシュであり、ＡＦ補助光の投光機能およびフラッシュ調光機能を有する。露光制御部４０および測距制御部４２はＴＴＬ方式で制御されている。撮像した画像データを画像処理回路２０によって演算した演算結果に基づき、システム制御回路５０は露光制御部４０および測距制御部４２に対して制御を行う。
【００３２】
５０は電子カメラ１００全体を制御するシステム制御回路である。システム制御回路５０はＣＰＵを含むマイクロコンピュータユニットから構成されており、メモリ５２に格納されたプログラムを実行する。５２はシステム制御回路５０の動作用の定数、変数、プログラム等を記憶するメモリである。
【００３３】
５４はシステム制御回路５０によるプログラムの実行に応じて、動作状態やメッセージ等を文字および画像で表示する表示器、および音声で報知するスピーカなどを有する表示部である。表示部５４は電子カメラ１００の操作部近傍の視認し易い位置に単数あるいは複数設置される。本実施形態では、表示部５４はＬＣＤ、ＬＥＤ、発音素子などを組み合わせて構成されている。また、電子ファインダ１０４内にも、表示部５４の一部の機能が設置されている。
【００３４】
表示部５４の表示内容のうち、ＬＣＤ等に表示されるものとしては、シングルショット／連写撮影表示、セルフタイマ表示、圧縮率表示、記録画素数表示、記録枚数表示、残撮影可能枚数表示、シャッタスピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００および２１０の着脱状態表示、通信Ｉ／Ｆ動作表示、日付・時刻表示などがある。
【００３５】
また、表示部５４の表示内容のうち、電子ファインダ１０４内に表示されるものとしては、合焦表示、手振れ警告表示、フラッシュ充電表示、シャッタスピード表示、絞り値表示、露出補正表示などがある。
【００３６】
５６は電気的に消去・記録可能な不揮発性メモリであり、例えばＥＥＰＲＯＭからなる。
【００３７】
［スイッチの説明］
６０、６２、６４、６６、６８および７０は、システム制御回路５０に対して各種の動作指示を入力するための操作部であり、スイッチ、ダイアル、タッチパネル、視線検知によるポインティング、音声認識装置などを単数あるいは複数組み合わせて構成される。
【００３８】
各操作部について具体的に説明する。６０はモードダイアルであり、電源オフ、自動撮影モードやパノラマ撮影モード等の撮影モード、再生モード、マルチ画面再生・消去モード、ＰＣ接続モード等の各機能モードを切り替えて設定することできる。
【００３９】
６２はシャッタスイッチＳＷ１であり、シャッタボタン（図示せず）の操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００４０】
６４はシャッタスイッチＳＷ２であり、シャッタボタン（図示せず）の操作完了でＯＮとなり、撮像素子１２から読み出した信号をＡ／Ｄ変換器１６でアナログデジタル変換した後、メモリ制御回路２２を介して画像データをメモリ３０に書き込む露光処理、画像処理回路２０およびメモリ制御回路２２での演算による現像処理、メモリ３０から画像データを読み出し、圧縮伸長回路３２で圧縮を行い、記録媒体２００、２１０に画像データを書き込む記録処理という一連の処理の動作開始を指示する。
【００４１】
６６は画像表示選択スイッチであり、画像表示部２８と電子ファインダ１０４の画像表示のＯＮ／ＯＦＦを設定・選択することができる。この機能により、電子ファインダ１０４を用いて撮影を行う際、ＴＦＴ方式のＬＣＤなどからなる画像表示部２８への電流供給を遮断することで、省電力化を図ることが可能である。逆に、画像表示部２８を用いて撮影を行う際には、電子ファインダ１０４の表示を中止し、省電力化を図ることも可能である。
【００４２】
また、省電力化のために、電子ファインダ１０４内に設けられた視線検知によるポインティングシステム（不図示）を併用することも可能であり、撮影者が所定の時間、電子ファインダ１０４を覗いていない、すなわち視線検知システムからの信号出力が所定の時間無い場合も、電子ファインダの光源の電流供給を遮断することで、省電力化を図ることが可能である。
【００４３】
６８はクイックレビューＯＮ／ＯＦＦスイッチであり、撮影直後に撮影した画像データを自動再生するクイックレビュー機能を設定する。尚、本実施形態では、特に画像表示部２８をＯＦＦにした場合、クイックレビュー機能をＯＮに設定する機能を備える。
【００４４】
７０は各種ボタン、タッチパネル等からなる操作部であり、メニューボタン、セットボタン、マクロボタン、マルチ画面再生改ページボタン、フラッシュ設定ボタン、単写／連写／セルフタイマ切替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタンなどを有する。
【００４５】
８０は電源制御部であり、電池検出回路、ＤＣ−ＤＣコンバータ、通電するブロックを切替えるスイッチ回路（いずれも図示せず）などから構成されており、電池の装着の有無、電池の種類、電池残量の検出を行い、検出結果およびシステム制御回路５０の指示に基づいてＤＣ−ＤＣコンバータを制御し、必要な電圧を必要な期間、記録媒体を含む各部に供給する。
【００４６】
８２および８４は着脱自在なコネクタである。８６はアルカリ電池やリチウム電池等の一次電池、ＮｉＣｄ電池、ＮｉＭＨ電池、Ｌｉ電池等の二次電池、ＡＣアダプタ（ＡＣカプラ）などからなる電源である。
【００４７】
８７は電源８６を格納している蓋が開けられたか否かを検知する電池蓋スイッチ（開閉検知部）である。電池蓋スイッチにより電源８６が交換されようとしていることを検知することができる。
【００４８】
９０および９４はメモリカードやハードディスク等の記録媒体とのインターフェースである。９２および９６はメモリカードやハードディスク等の記録媒体との接続を行うコネクタである。９８はコネクタ９２、９６にそれぞれ記録媒体２００、２１０が装着されているか否かを検知する記録媒体着脱検知部である。
【００４９】
尚、本実施形態では、記録媒体を取り付けるインターフェースおよびコネクタを２系統設けられている。記録媒体を取り付けるインターフェースおよびコネクタは、単数あるいは複数の系統数で構成してもよい。また、異なる規格のインターフェースおよびコネクタを組み合わせて構成してもよい。
【００５０】
また、インターフェースおよびコネクタとしては、ＰＣＭＣＩＡカード、ＣＦ（コンパクトフラッシュ（登録商標））カード等の規格に準拠したものを用いて構成してもよい。
【００５１】
さらに、インターフェース９０、９４およびコネクタ９２、９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カードなど、各種通信カードを接続することにより、他のコンピュータやプリンタ等の周辺機器との間で画像データや画像データに付属した管理情報を転送し合うことができる。
【００５２】
１０２は電子カメラ１００のレンズ１０を含む撮像部を覆うことで撮像部の汚れや破損を防止するバリア（保護部）である。１０４は電子ファインダであり、表示部５４の一部の機能、例えば、合焦表示、手振れ警告表示、フラッシュ充電表示、シャッタスピード表示、絞り値表示、露出補正表示などが設置されている。
【００５３】
１１０は通信部であり、ＲＳ２３２Ｃ、ＵＳＢ、ＩＥＥＥ１３９４、Ｐ１２８４、ＳＣＳＩ、モデム、ＬＡＮ、無線通信などの各種通信機能を有する。１１２は通信部１１０により電子カメラ１００を他の機器と接続するコネクタ、あるいは無線通信の場合のアンテナである。
【００５４】
２００はメモリカードやハードディスク等の記録媒体である。記録媒体２００は半導体メモリや磁気ディスク等から構成される記録部２０２、電子カメラ１００とのインターフェース２０４およびコネクタ２０６を備える。２１０は記録媒体２００と同様、メモリカードやハードディスク等の記録媒体である。記録媒体２１０は半導体メモリや磁気ディスク等から構成される記録部２１２、画像処理装置１００とのインターフェース２１４およびコネクタ２１６を備える。
【００５５】
図２は、本発明に用いる電子ファインダ１０４の構成概要を説明するための図である。光源３０１は、光源駆動回路３０２により変調される光源である。光源３０１より発光した光束は、不図示の集光光学系などにより１つのビームを形成して光走査手段３０３に入射する。
【００５６】
本実施例では、説明を簡略にするために１つの光源を用いた電子ファインダで説明するが、当然のことながら、３色の光源を用いて、それらの光束を集光光学系や色合成光学系を介して１つのビームになるように構成して光走査手段３０３に入射させてカラーの電子ファインダを構成することも可能である。
【００５７】
光走査手段３０３に入射した光は、偏向点３０４により偏向され、走査光学系３０５を介して、被走査面３０６上を走査する。光源３０１と被走査面３０６は、不図示の集光光学系と走査光学系３０５により実質的に共役の関係になっており、被走査面３０６上には、光源像が走査されることになる。
【００５８】
光束３０７ａ，３０７ｂ，３０７ｃは、光源からの光束が、光走査手段３０３により走査された光束の例を示したものであり、被走査面３０６上の前記被走査光束に対応した集光点３０７ａ’，３０７ｂ’，３０７ｃ’を形成している。集光点３０７ａ’，３０７ｂ’，３０７ｃ’は被走査面３０６上で、図中にｙと示した方向に、走査された例を示しているが、光走査手段３０３は、このｙという方向と垂直のｘという方向にも走査することができる２次元走査手段である。
【００５９】
光走査手段３０３は、光走査手段制御回路３０９により制御される。光走査手段制御回路３０９と光源駆動回路３０２は、表示部制御回路３１０等に電気的に接続され同期を取られて制御される。この表示部制御回路３１０は、撮像した画像データがＤ／Ａ変換器２６を介して逐次入力され、撮像しようとしている画像を被走査面３０６上に表示することができる。観察者は、接眼光学系３０８のアイポイントに瞳を置くことで、接眼光学系３０８を介して、被走査面３０６上の画像を虚像として観察することができる。本図で、観察者は、ｘ方向を水平方向、ｙ方向を垂直方向として、画像を観察する。
【００６０】
光走査手段３０３の概要に関して，図３を用いて説明する。図３は、光走査手段３０３の主要部構成と、被走査面３０６との関係を示したものである。光走査手段３０３中には、基板３４０があり、基板３４０は偏向点３０４に反射ミラー３４３が形成されている。
【００６１】
反射ミラー３４３は水平方向（ｘ方向）に、揺動動作させるためのトーションバー３４２と、垂直方向（ｙ方向）に揺動動作させるためのトーションバー３４１によりジンバル構造を形成している。水平方向（ｘ方向）に対しては、不図示のアクチュエータよりミラーは駆動され、この構造のねじれ共振作用でミラー面３４３の偏向角が変わり、光を走査する。垂直方向（ｙ方向）に対しては、水平方向（ｘ方向）と同期を取るように制御され、不図示のアクチュエータにより駆動される。図３で、線３１７は、揺動動作による走査線の往路を、線３１８は復路の例を示している。実際には、走査線の本数は本図よりも多いが、分かりやすくするため間引いた形で示している。揺動動作するのに同期して、ｙ方向である図中矢印３４５方向に走査するように反射面３４３を動作させ、かつ光源を同期して変調することで画像表示を行う。垂直方向（ｙ方向）の走査端３４６に到達すると、走査開始点３４７まで帰線する。つまり、垂直方向の繰り返し周期が、画像のフレームレートを決定している。
【００６２】
図４は撮影動作処理手順を示すフローチャートである。この処理プログラムはメモリ５２に格納されており、システム制御回路５０内のＣＰＵによって実行される。
【００６３】
図４において、電池交換などにより電源からの電流供給が開始されると、システム制御回路５０はフラグや制御変数などを初期化し、同時に保護部１０２の遮蔽など、撮像装置の各部の状態を標準状態にする（ステップＳ１０１）。このとき、不揮発性メモリ５６に記憶されている表示状態を表すフラグもシステム制御回路５０に読み込まれる。
【００６４】
システム制御回路５０は、モードダイアル６０の設定位置を判別し（ステップＳ１０２）、モードダイアル６０が電源ＯＦＦに設定されている場合、特に動作を行わず、外的には電源が切れた状態を保ちつつ、モードダイアル６０が切替えられることを待ち受ける。
【００６５】
この状態で、モードダイアル６０が撮影モード・再生モードに切替えられると、システム制御回路５０は画像表示部２８及び電子ファインダ１０４に対して表示起動処理を行う（ステップＳ１０４）。ステップＳ１０４の表示起動処理の詳細については後述する。
【００６６】
システム制御回路５０は、画像表示部を起動した後、撮影操作などの外部からの操作を待ち受ける状態を保つ。
【００６７】
この待ち受け状態では、モードダイアル６０の状態が確認される（ステップＳ１０５）。モードダイアル６０が電源ＯＦＦに設定された場合、各表示部の表示を終了状態に変更し、前述したように保護部１０２のバリアを閉じて撮像部を保護し、フラグや制御変数等を含む必要なパラメータや設定値、設定モードを不揮発性メモリ５６に記録し、電源制御部８０により画像表示部２８を含む電子カメラ１００各部の不要な電源を遮断する等の所定の終了処理を行った後（ステップＳ１０３）、ステップＳ１０２でモードダイアル６０の切替えを待ち受ける状態に戻る。
【００６８】
また、待ち受け状態では、システム制御回路５０は、画像表示選択スイッチ６６の状態を調べて（ステップＳ１０９）、ＬＣＤなどの画像表示モニタ２８での画像表示、電子ファインダ１０４での画像表示、または画像表示モニタ２８での情報表示などの画像表示部の表示状態を切替える表示切替処理を行う（ステップＳ１０６）。このステップＳ１０６の画像表示切替処理の詳細については後述する。
【００６９】
更に待ち受け状態では、システム制御回路５０はシャッタスイッチ６２、６４の状態を調べる（ステップＳ１０７）。シャッタスイッチ６２、６４が押されている場合、公知の手段により撮影・記録処理を行う（ステップＳ１０８）。
【００７０】
モードダイアル６０、画像表示選択スイッチ６６、シャッタスイッチ６２、６４等に切替え等が無い場合、その状態を保ったまま待ち受け状態を保つ。
【００７１】
図５はステップＳ１０４における表示起動処理手順を示すフローチャートである。システム制御回路５０は、起動処理に入ると同時に電子ファインダ１０４の光走査手段３０３の光走査手段制御回路３０９を起動して、反射ミラー３４３の水平方向（ｘ方向）の揺動動作（Ｈ走査）を開始する（ステップＳ２０１）。その後、垂直方向（ｙ方向）に対しても駆動（Ｖ走査）を開始する（ステップＳ２０２）。このように、モードダイアル６０が撮影モード、再生モードのように、主電源が投入されたモード（電子ファインダ１０４を使用する可能性のあるモード）に切替えられた場合に、実際に電子ファインダ１０４を使用するか否かに関わらず光走査手段３０３の走査動作を開始する。これにより、光走査手段３０３の走査動作の立ち上げ時間によらず、撮像装置の動作中は常に電子ファインダによる表示を瞬時に開始することが可能となる。このような表示起動処理に対し、実際に電子ファインダ１０４を使用しない場合は、以下に説明するように光源３０１、光源駆動回路３０２を光走査手段制御回路３０９と独立に制御してＯＦＦにすることで、余分な電源の消費を避けることができる。
【００７２】
次にシステム制御回路５０は、不揮発性メモリ５６に記憶されている表示フラグを調べる（ステップＳ２０３）。上記で説明したように、不揮発性メモリ５６は各種のフラグや制御変数等を含む必要なパラメータや設定値、設定モード等、撮像装置の走査中に設定された各状態を記録している。ステップＳ２０３において、システム制御回路５０は当該記録された状態の中から表示に関するフラグを読み出して、前回の使用時に画像表示選択スイッチ６６により指定された表示状態を確認する。
【００７３】
ここで、表示フラグにより識別される状態の一例として、ＥＶＦ・画像モニタ・ＩＮＦＯの３種類である。ここでは表示フラグの値が「１」であるときＥＶＦを、「２」であるとき画像モニタを、「３」であるときＩＮＦＯを表すものとする。表示フラグの値は識別可能な３種類の値である限り、どのような値であっても構わない。
【００７４】
ここで、表示フラグがＥＶＦである場合、画像データの表示には電子ファインダ１０４が使用される。一方、表示フラグが画像モニタである場合、画像データの表示には画像表示部２８が使用される。また、表示フラグがＩＮＦＯである場合、画像データに加え、撮影条件などの情報表示を画像表示部２８を用いて行う。
【００７５】
情報表示としては、画像のサイズ、シングルショット／連写撮影表示、セルフタイマ表示、圧縮率表示、ホワイトバランス表示、記録枚数表示、残撮影可能枚数表示、シャッタスピード表示、絞り値表示、露出補正値表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付・時刻表示などを表示してもよい。
【００７６】
ステップＳ２０３で確認した表示フラグの値が「１」であるとき、システム制御回路５０は電子ファインダ１０４の表示部制御回路３１０を介して、光源駆動回路３０２を駆動し（ステップＳ２０４）、逐次入力されるＤ／Ａ変換器２６からの信号で変調して、撮像した画像データを電子ファインダ１０４に表示する（ステップＳ２０５）。
【００７７】
同様に、表示フラグの値が「２」であるときは、ＬＣＤなどの画像モニタの電源をＯＮし（ステップＳ２０６）、逐次入力されるＤ／Ａ変換器２６からの信号でＬＣＤの画素を駆動して、撮像した画像データを画像表示部２８に表示する（ステップＳ２０７）。
【００７８】
表示フラグの値が「３」であるときは、ＬＣＤなどの画像モニタの電源をＯＮし（ステップＳ２０８）、撮影条件などの情報取得と表示を行う（ステップＳ２０９）。
【００７９】
図６は、撮影操作等待ち受け状態において画像表示選択スイッチ６６により画像表示の切替えが入力された場合の、ステップＳ１０６における画像表示切替処理手順を示すフローチャートである。この処理では、画像表示選択スイッチ６６から入力された表示フラグに従い、システム制御回路５０は、画像表示部２８、電子ファインダ１０４の表示状態を切替える。
【００８０】
まず、不揮発性メモリ５６に格納されている画像表示選択スイッチ６６から入力された表示フラグを判別する（ステップＳ３０１）。
【００８１】
表示フラグがＥＶＦである場合、電子ファインダ１０４で表示を行うＥＶＦ状態にする処理を行う。すなわち、表示部制御回路３１０を介して、光源駆動回路３０２を駆動し（ステップＳ３０２）、逐次入力されるＤ／Ａ変換器２６からの信号で変調して、撮像した画像データを電子ファインダ１０４に表示し（ステップＳ３０３）、同時に画像表示部２８での表示をＯＦＦにする（ステップＳ３０４）。
【００８２】
また、表示フラグが画像モニタである場合、画像表示部２８を構成するＬＣＤなどの画像モニタの電源をＯＮし（ステップＳ３０５）、逐次入力されるＤ／Ａ変換器２６からの信号でＬＣＤの画素を駆動して、撮像した画像データを画像表示部２８に表示し（ステップＳ３０６）、電子ファインダ１０４の光源３０１、光源駆動回路３０２がＯＮになっている場合にはこれをＯＦＦにする（ステップＳ３０７）。
【００８３】
また、表示フラグがＩＮＦＯである場合、画像表示部２８の表示をＩＮＦＯ状態にする処理を行う。すなわち、表示に必要な情報を取得して表示し（ステップＳ３０９）、電子ファインダ１０４の光源駆動回路３０２がＯＮになっている場合にはこれをＯＦＦにする（ステップＳ３１０）。
【００８４】
書き換えられた表示フラグは不揮発性メモリ５６に格納されており、電子カメラ１００の電源がＯＦＦになっても、その値は保持される。また、本実施例では電子ファインダ１０４、画像表示部２８のいずれか一方でのみ画像データ等の表示を行っているが、必要に応じて両方で表示を行うモードを設けてもよい。また、情報表示を画像表示部２８のみで行っているが、電子ファインダ１０４を用いて表示するようにしても良い。
【００８５】
以上示したように、第１の実施形態では、ステップＳ１０４の表示起動処理において、モードダイアル６０が撮影モード・再生モード等としてＯＮされると、常に電子ファインダ１０４の光走査手段３０３の光走査手段制御回路３０９を起動して、反射ミラー３４３の水平方向（ｘ方向）の揺動動作を開始する、その後、垂直方向（ｙ方向）に対しても駆動を開始する様に制御される。これにより、光走査手段３０３の揺動動作の制御が安定している状態で、不揮発性メモリ５６に格納されている表示フラグに従って、表示を切替えることができ、切替え直後から安定した電子ファインダ１０４の画像表示が可能になる。また、ユーザーにとっては撮影モードをＯＮしてからの電子ファインダ１０４の画像表示までの時間が短縮されることになる。
【００８６】
また、電子ファインダ１０４の光源３０１、光源駆動回路３０２は、表示フラグがＥＶＦになるまでＯＮされず、反射ミラー３４３の揺動動作のみを行っているので、消費電力を低減させることができる。
【００８７】
更に、ステップＳ１０４の表示起動処理で不揮発性メモリ５６に格納されている表示フラグに示された状態で、電子ファインダ１０４又は画面表示部２８を立ち上げることにより、電池交換時、およびモードダイアル６０を電源ＯＦＦから撮影モードに変更した時に、最後に表示していた状態と同じ状態で電子カメラ１００を起動することができる。
【００８８】
また、本実施例では説明を省略したが、撮影レンズがカメラ本体内に収納されているようなカメラにおいては、モードダイアル６０が保護部１０２のバリア開閉の信号によって制御されることもある。また、このような沈胴型レンズを採用したカメラにおいては、本実施例の図４にて説明した撮影動作処理手順のフローチャートにおいて、ステップＳ１０４の表示起動処理をおこなった後に、沈胴レンズをカメラ本体から繰り出したりする沈胴制御が実行される。
【実施例２】
【００８９】
第２の実施形態における電子カメラの構成は、前記第１の実施形態と同様であるので、その説明を省略し、第１の実施形態と異なる撮像動作についてだけ説明する。
【００９０】
本実施例は、画像表示選択スイッチ６６や各種ボタン、タッチパネル等からなる操作部７０のひとつとして、視線検知によるポインティングを使った表示の制御に関する。
【００９１】
実施例１で説明したように、画像表示選択スイッチ６６やモードダイアル６０により、画像表示部２８と電子ファインダ１０４の画像表示の切替制御が実行される。
【００９２】
本実施例では、電子ファインダ１０４でのＥＶＦ表示を実行している際の電池の消耗を防ぐために、公知の視線検出装置を使用した視線検知によるポインティングシステム（不図示）を用いる。通常、視線検知によるポインティングシステムは焦点検出エリアの決定や、ファインダ内表示のアイコンなどの選択を視線方向の検知信号を用いるものである。すなわち、この視線検知信号が出力されていることは、観察者（撮影者）はこの電子ファインダ１０４を覗きこんでいることに他ならない。逆にいえば、この視線検知信号が一定期間出力されていないことは、電子ファインダ１０４を覗きこんでいないことになり、この場合は光源駆動回路３０２の光源駆動を一時中止するように制御する。これにより、システムの省電力化を図ることが可能となる。
【００９３】
図７は第２の実施形態における撮像動作処理手順を示すフローチャートにおける表示切替処理Ｓ１０６である。この処理プログラムはメモリ５２に格納されており、システム制御回路５０内のＣＰＵによって実行される。ここでは、前記第１の実施形態と同じステップ処理は同一の番号を付すことにより、その説明を省略する。
【００９４】
実施例２では、ステップＳ３０１で、ＥＶＦ表示が選択されている場合のみが前記実施例１と異なっている。ステップＳ３０１でＥＶＦが選択されると、システム制御回路５０は視線検知によるポインティングシステム（不図示）の信号出力を検出する（ステップＳ３１１）。このときは信号出力の有無のみの検出で構わない。この処理で信号出力がある場合は、ステップＳ３０２、Ｓ３０３，Ｓ３０４へ進み、光源ＯＮ、画像表示ＯＮ、必要に応じて画面表示部２８をＯＦＦにする。これと同時に、タイマーをスタートさせ（ステップＳ３１３）、一定時間の間隔で視線検知信号出力の有無を検知し（ステップＳ３１１）、この部分を繰り返す。これにより、システムの省電力化を図ることが可能となる。
【００９５】
本実施例においては、電子カメラ１００のシステムに本発明を実施した例で説明したが、磁気テープなどの媒体に動画を記録するビデオシステムにおいても、同様の制御が可能であることは言うまでもない。
【図面の簡単な説明】
【００９６】
【図１】第１の実施形態における電子カメラの構成を示す図である。
【図２】本発明に用いる電子ファインダの構成概略図である。
【図３】本発明に用いる電子ファインダを構成する光走査手段の説明図である。
【図４】撮影動作処理手順を示すフローチャートである。
【図５】ステップＳ１０４における表示起動処理手順を示すフローチャートである。
【図６】ステップＳ１０６における画像表示切替処理手順を示すフローチャートである。
【図７】実施例２における、ステップＳ１０６の画像表示切替処理手順を示すフローチャートである。
【符号の説明】
【００９７】
２８  画像表示部
５０  システム制御回路
６０  モードダイアル
６６  画像表示選択スイッチ
１０４  電子ファインダ
３０１  光源
３０２  光源駆動回路
３０３  光走査手段
３０５  走査光学系
３０６  被走査面
３０９  光走査手段制御回路
３１０  表示部制御回路
【図１】
2005223516.tif 000003
【図２】
2005223516.tif 000004
【図３】
2005223516.tif 000005
【図４】
2005223516.tif 000006
【図５】
2005223516.tif 000007
【図６】
2005223516.tif 000008
【図７】
2005223516.tif 000009